(57)【要約】【課題】電波不感地帯に進入してからも放送番組を継続して再生可能なデジタル放送受信装置を提供する。【解決手段】移動体に搭載されて移動可能なデジタル放送受信装置は、受信したデータを一時的に格納するバッファ（３０）と、バッファ（３０）に格納されたデータの再生を行う再生部（４０）と、電波不感地帯の位置に関する情報を取得する固定情報取得部（６０）と、当該デジタル放送受信装置の位置及び移動速度に関する情報を取得する移動情報取得部（７０）と、固定情報取得部（６０）及び移動情報取得部（７０）によって取得された情報に基づいて当該デジタル放送受信装置が所定時間内に電波不感地帯に到達する位置にまで接近したと判断したとき、再生部（４０）によるデータ再生の速度を低下させる再生速度制御部（８０）とを備えている。【選択図】図１
2007336475.tif 000002
【特許請求の範囲】
【請求項１】
移動体に搭載されて移動可能なデジタル放送受信装置であって、
受信したデータを一時的に格納するバッファと、
前記バッファに格納されたデータの再生を行う再生部と、
電波不感地帯の位置に関する情報を取得する固定情報取得部と、
当該デジタル放送受信装置の位置及び移動速度に関する情報を取得する移動情報取得部と、
前記固定情報取得部及び移動情報取得部によって取得された情報に基づいて当該デジタル放送受信装置が所定時間内に前記電波不感地帯に到達する位置にまで接近したと判断したとき、前記再生部によるデータ再生の速度を低下させる再生速度制御部とを備えた
ことを特徴とするデジタル放送受信装置。
【請求項２】
請求項１に記載のデジタル放送受信装置において、
前記固定情報取得部は、前記電波不感地帯の範囲に関する情報をも取得するものであり、
前記再生速度制御部は、当該デジタル放送受信装置の移動速度及び前記電波不感地帯までの距離及び前記電波不感地帯の範囲に基づいて、少なくとも当該デジタル放送受信装置が前記電波不感地帯に進入してから退出するまでの間前記バッファに未再生のデータが残存するように、前記再生部によるデータ再生に係るデータ出力タイミングの遅延量を決定するものである
ことを特徴とするデジタル放送受信装置。
【請求項３】
請求項２に記載のデジタル放送受信装置において、
前記再生速度制御部は、当該デジタル放送受信装置の移動速度に応じて、前記遅延量を動的に変化させる
ことを特徴とするデジタル放送受信装置。
【請求項４】
請求項３に記載のデジタル放送受信装置において、
前記再生速度制御部は、前記電波不感地帯において当該デジタル放送受信装置の移動速度が低下したとき、前記遅延量を大きくする
ことを特徴とするデジタル放送受信装置。
【請求項５】
請求項１に記載のデジタル放送受信装置において、
前記再生速度制御部は、前記固定情報取得部及び移動情報取得部によって取得された情報に基づいて当該デジタル放送受信装置が前記電波不感地帯を通過したと判断したとき、前記再生部に対する再生速度低下制御を停止するものであり、
前記再生部は、当該デジタル放送受信装置が前記電波不感地帯に進入するまでに前記バッファに格納されたデータが前記再生速度制御部による再生速度低下制御が停止したときになおも残存する場合、当該残存するデータの再生を行ってから、前記電波不感地帯の通過後に前記バッファに格納されたデータの再生を行うものである
ことを特徴とするデジタル放送受信装置。
【請求項６】
請求項１に記載のデジタル放送受信装置において、
前記再生速度制御部は、前記固定情報取得部及び移動情報取得部によって取得された情報に基づいて当該デジタル放送受信装置が前記電波不感地帯を通過したと判断したとき、前記再生部に対する再生速度低下制御を停止するものであり、
前記再生部は、当該デジタル放送受信装置が前記電波不感地帯に進入するまでに前記バッファに格納されたデータが前記再生速度制御部による再生速度低下制御が停止したときになおも残存する場合、当該残存するデータを破棄し、前記電波不感地帯の通過後に前記バッファに格納されたデータの再生を行うものである
ことを特徴とするデジタル放送受信装置。
【発明の詳細な説明】
【技術分野】
【０００１】
本発明は、デジタル放送受信装置に関し、特に、自動車などに搭載可能なモバイル用途向けのデジタル放送受信装置に関する。
【背景技術】
【０００２】
日本では２００６年４月にモバイル機器向けに地上デジタル放送（１セグメント地上デジタル放送、いわゆるワンセグ放送。）がスタートした。ワンセグ放送にはＯＦＤＭ（Orthogonal Frequency Division Multiplex）変調方式が採用されており、映像及び音声データの再生劣化が少なく、アナログ放送よりも安定した受信が可能となる。ワンセグ放送の登場に伴い、地上デジタル放送を受信可能な移動体端末や携帯端末などが盛んに開発されている。特に、移動体端末については車載を目的としたものが数多く開発されている。
【０００３】
モバイル用途向けのデジタル放送受信装置については、ビル影などの電波不感地帯において電波が途切れるといった問題がある。特に、車載の場合、自動車がトンネルに進入すると電波が完全に遮断されるため、デジタル放送が視聴できなくなるという問題がある。そこで、従来、デジタル放送受信装置がトンネルなどの電波不感地帯に進入したときに、それまでの番組コンテンツから、あらかじめ蓄積されたコンテンツの表示へと自動的に切り替えることが行われている（例えば、特許文献１参照）。
【特許文献１】特開２００４―１１２５０２号公報
【発明の開示】
【発明が解決しようとする課題】
【０００４】
しかし、従来の手法では、移動体が電波不感地帯に進入するとそれまで視聴していた放送番組が突然中断され、別のコンテンツに切り替えられてしまう。すなわち、電波不感地帯に進入するまでに視聴していた放送番組が電波不感地帯に進入してからは継続して再生することができないという問題がある。
【０００５】
上記問題に鑑み、本発明は、特に移動体などに搭載されて移動可能なデジタル放送受信装置について、電波不感地帯に進入してからも放送番組を継続して再生可能にすることを課題とする。
【課題を解決するための手段】
【０００６】
上記課題を解決するために本発明が講じた手段は、移動体に搭載されて移動可能なデジタル放送受信装置として、受信したデータを一時的に格納するバッファと、バッファに格納されたデータの再生を行う再生部と、電波不感地帯の位置に関する情報を取得する固定情報取得部と、当該デジタル放送受信装置の位置及び移動速度に関する情報を取得する移動情報取得部と、固定情報取得部及び移動情報取得部によって取得された情報に基づいて当該デジタル放送受信装置が所定時間内に電波不感地帯に到達する位置にまで接近したと判断したとき、再生部によるデータ再生の速度を低下させる再生速度制御部とを備えたものとする。
【０００７】
これによると、デジタル放送受信装置が電波不感地帯に十分に接近したとき、受信したデータのスロー再生が開始される。これにより、デジタル放送受信装置が電波不感地帯に進入するまでにバッファに未再生のデータが蓄積されるため、デジタル放送受信装置が電波不感地帯に進入してからはその蓄積された未再生のデータのスロー再生を続けることで、ユーザは引き続き放送番組を視聴することができる。
【０００８】
好ましくは、固定情報取得部は、電波不感地帯の範囲に関する情報をも取得するものとする。また、再生速度制御部は、当該デジタル放送受信装置の移動速度及び電波不感地帯までの距離及び電波不感地帯の範囲に基づいて、少なくとも当該デジタル放送受信装置が電波不感地帯に進入してから退出するまでの間バッファに未再生のデータが残存するように、再生部によるデータ再生に係るデータ出力タイミングの遅延量を決定するものとする。これによると、少なくともデジタル放送受信装置が電波不感地帯に進入してから退出するまでの間、放送番組を継続して再生することができる。また、十分な量の未再生データがバッファに残存していれば、デジタル放送受信装置の移動速度が低下しても、電波不感地帯を退出するまで放送番組を継続して再生することができる。
【０００９】
より好ましくは、再生速度制御部は、当該デジタル放送受信装置の移動速度に応じて、遅延量を動的に変化させるものとする。特に、再生速度制御部は、当該デジタル放送受信装置の移動速度が低下したとき、遅延量を大きくする。これによると、電波不感地帯においてデジタル放送受信装置の移動速度が低下しても、そこを退出するまで放送番組を継続して再生することができる。
【００１０】
また、好ましくは、再生速度制御部は、固定情報取得部及び移動情報取得部によって取得された情報に基づいて当該デジタル放送受信装置が電波不感地帯を通過したと判断したとき、再生部に対する再生速度低下制御を停止するものとする。また、再生部は、当該デジタル放送受信装置が電波不感地帯に進入するまでにバッファに格納されたデータが再生速度制御部による再生速度低下制御が停止したときになおも残存する場合、当該残存するデータの再生を行ってから、電波不感地帯の通過後にバッファに格納されたデータの再生を行うものとする。これによると、電波不感地帯に進入前に受信したデータを漏らすことなくすべて再生することができる。
【００１１】
また、好ましくは、再生速度制御部は、固定情報取得部及び移動情報取得部によって取得された情報に基づいて当該デジタル放送受信装置が電波不感地帯を通過したと判断したとき、再生部に対する再生速度低下制御を停止するものとする。また、再生部は、当該デジタル放送受信装置が電波不感地帯に進入するまでにバッファに格納されたデータが再生速度制御部による再生速度低下制御が停止したときになおも残存する場合、当該残存するデータを破棄し、電波不感地帯の通過後にバッファに格納されたデータの再生を行うものとする。これによると、デジタル放送受信装置が電波不感地帯をしてから放送波が受信可能となり次第、放送番組をリアルタイムで再生することができる。
【発明の効果】
【００１２】
以上説明したように本発明によると、移動体においてデジタル放送番組を視聴している場合において、当該移動体が電波不感地帯に進入して放送波の受信ができなくなってもユーザは引き続き放送番組を視聴することができる。
【発明を実施するための最良の形態】
【００１３】
以下、本発明を実施するための最良の形態について、図面を参照しながら説明する。図１は、本発明に係るデジタル放送受信装置の一実施形態の構成を示す。本デジタル放送受信装置は、電波受信部１０、ＤＥＭＵＸ２０、バッファ３０、再生部４０、ユーザインタフェース５０、固定情報取得部６０、移動情報取得部７０及び再生速度制御部８０を備えている。
【００１４】
電波受信部１０は、ホイップ（ロッド）アンテナ、ダイポールアンテナ、八木・宇田アンテナ、パラボラアンテナ、ループアンテナ、誘電体アンテナなどの任意のアンテナ（不図示）を備えており、所望の周波数のチューニングを行い、デジタル放送波からデジタルデータを抽出する。当該デジタルデータは所定の規格に準拠して複数のチャンネルの映像データや音声データなどが多重化されたものである。所定の規格として、ＭＰＥＧ（Motion Picture Experts Group）−２やＭＰＥＧ−４などがある。また、ワンセグ放送の場合にはＨ．２６４が使用される。ＤＥＭＵＸ２０は、当該多重化データから各チャンネルの映像データや音声データなどを分離・抽出する。特に、音声データはＡＣ３（Audio Code number 3）規格やワンセグ放送の場合にはＡＡＣ（Advanced Audio Coding）などで圧縮処理されている。なお、ＤＥＭＵＸ２０はハードウェア及びソフトウェアのいずれでも実現可能である。また、ＤＥＭＵＸ２０は、暗号化されたデジタルデータを復号できるものであってもよい。これにより、ＲＭＰ（Rights Management & Protection）などの著作権保護の方式に対応することができる。
【００１５】
バッファ３０は、ＤＥＭＵＸ２０によって分離されたデータを一時的に格納する。バッファ３０は、フラッシュメモリなどの不揮発性メモリ、ＤＲＡＭ（Dynamic Random Access Memory）などの揮発性メモリなどの任意のメモリで構成することができる。また、バッファ３０は、ＳＤ（Secure Digital）カードなどの外部メモリやハードディスク装置で構成することも可能である。
【００１６】
再生部４０は、バッファ３０に格納されたデータを読み出して当該データをデコードし、映像又は音声データを出力する。より詳細には、再生部４０は、ＰＴＳ（Presentation Time Stamp）情報などの時間情報を用いて映像又は音声データの出力タイミングを制御する。また、再生部４０は、時間情報と後述する再生速度制御部８０から指示されたデータ出力タイミングの遅延量とを足し合わせたタイミングで映像又は音声データを出力する。これにより、バッファ３０に格納されたデータがスロー再生され、バッファ３０には未再生のデータが増加していく。
【００１７】
例えば、変更前の時間情報をＴ０、変更後の時間情報をＴ１、後述する再生速度制御部８０から指示されるデータ出力タイミングの遅延量をα、そして、前回出力時までの遅延量の累積値をα’とすると、データ出力時刻はＴ１＝Ｔ０＋α’＋αとなる。時刻Ｔ１の更新タイミングと同時に累積遅延量α’は遅延量αだけインクリメントされる。累積遅延量α’の更新タイミングは、例えば、映像出力の場合にはフレームレートによって変化する。例えば、フレームレートが１５の場合、時刻Ｔ１及び累積遅延量α’の更新タイミングは１秒間に１５回存在する。
【００１８】
ユーザインタフェース５０は、再生部４０から出力されたデータをユーザが知覚できるような形態に変換してユーザに提示する。具体的には、ユーザインタフェース５０は、液晶ディスプレイ、有機ＥＬディスプレイ、表面電界ディスプレイなどの画像出力装置やスピーカなどの音声出力装置によって映像及び音声をユーザに提示する。
【００１９】
固定情報取得部６０は、トンネルなどの電波不感地帯の位置及び範囲などに関する情報を取得する。「範囲」に関する情報は、例えば、トンネルの場合、トンネルの長さに関する情報などを含む。これら情報は、例えば、カーナビゲーション装置が有する道路地図情報などから取得可能である。なお、電波不感地帯とは、地上において放送波の受信ができない地理的範囲をいう。
【００２０】
移動情報取得部７０は、本デジタル放送受信装置の位置、移動予測経路及び移動速度などに関する情報を取得する。本デジタル放送受信装置の位置情報は、例えば、ＧＰＳ（Global Positioning System）などから取得可能である。また、本デジタル放送受信装置の速度情報は、例えば、本デジタル放送受信装置とともに移動する自動車などの移動体の速度情報から取得可能である。移動予測経路は、例えば、カーナビゲーション装置が有する目的値への経路情報などから取得可能である。なお、移動情報取得部７０は、ＶＩＣＳ（vehicle information and communication system）などから得られる渋滞情報を取得するようにしてもよい。
【００２１】
再生速度制御部８０は、固定情報取得部６０及び移動情報取得部７０によって取得された情報に基づいて、本デジタル放送受信装置が所定時間内にトンネルなどの電波不感地帯に到達する位置にまで接近したと判断したとき、再生部４０によるデータ再生の速度を遅らせてスロー再生が行われる。具体的には、本デジタル放送受信装置の位置から電波不感地帯までの最短距離を算出し、この値を移動速度で割った値（時間）を算出する。この値（時間）が所定値以下の場合には本デジタル放送受信装置が所定時間内にトンネルなどの電波不感地帯に到達する位置にまで接近したと判断する。そして、再生速度制御部８０は、再生部４０に対して、時間情報に加算すべきデータ出力タイミングの遅延量を与える。これにより、再生部４０において受信データのスロー再生が行われる。
【００２２】
なお、本デジタル放送受信装置の位置から移動予測経路上の電波不感地帯までの最短距離を算出し、この値を移動速度で割った値（時間）を算出する。この値（時間）が所定値以下の場合に、本デジタル放送受信装置が所定時間内にトンネルなどの電波不感地帯に到達する位置にまで接近したと判断するようにしてもよい。
【００２３】
データ出力タイミングの遅延量は、本デジタル放送受信装置の移動速度、トンネルなどの電波不感地帯までの距離及びトンネルの長さなどの電波不感地帯の範囲に基づいて、少なくとも本デジタル放送受信装置がトンネルなどの電波不感地帯に進入してから退出するまでの間バッファ３０に未再生のデータが残存する程度にする。例えば、移動速度をｖ、スロー再生開始位置からトンネルまでの距離をｌ、トンネルの長さをＬとし、スロー再生開始位置からトンネルを通過するまでスロー再生を継続するとしたとき、速度ｖが一定の場合にはデータ再生速度がｌ／（ｌ＋Ｌ）倍となるように遅延量を設定することによって、少なくとも本デジタル放送受信装置がトンネルまで距離ｌの地点に到達してから長さＬのトンネルを通過するまでの間、ユーザはデジタル放送を途切れることなく視聴することができる。なお、遅延量を計算するタイミングは、映像、音声の再生レートによって変化する。例えば映像の出力を例にとった場合、フレームレートが１５の場合は、１秒間に１５回の遅延量計算タイミングが存在することになる。
【００２４】
図２は、本デジタル放送受信装置がトンネルに接近したときのバッファ３０のバッファ量の増減の様子を示す。図２（ａ）に示した状態では、自動車に搭載された本デジタル放送受信装置はトンネルに十分に接近していないためバッファ量は増減しない。図２（ｂ）に示した状態では、本デジタル放送受信装置はトンネルに十分に接近しているため、スロー再生が行われる。この結果、再生するデータ量よりも受信するデータ量の方が多くなるため、その差分だけバッファ量は増加する。そして、図２（ｃ）に示した状態では、本デジタル放送受信装置はトンネルに進入しているところであり、引き続きスロー再生が行われる。本デジタル放送受信装置がトンネルに進入するとデータ受信はされずに再生のみとなるため、バッファ量は減少に転じる。
【００２５】
再生速度制御部８０は、バッファ３０の容量が許す限り、トンネルの十分手前から再生速度低下制御を開始し又はデータ出力タイミングの遅延量を大きく設定して、バッファ３０により多くの受信データが格納されるようにしてもよい。これにより、トンネル内で渋滞などによって本デジタル放送受信装置の移動速度が低下しても、バッファ３０に十分な量の未再生データが格納されているため、トンネル出口までデータ再生を継続することができる。また、再生速度制御部８０は、トンネル内で本デジタル放送受信装置の移動速度が低下した場合には、再生部４０によるデータ再生に係るデータ出力タイミングの遅延量を大きくするように、すなわち、再生速度をさらに遅くするようにしてもよい。これにより、トンネル出口までデータ再生を継続することができる。
【００２６】
次に、図３のフローチャートを参照しながら、本デジタル放送受信装置の動作について説明する。まず、指定された周波数でチューニングを行い、有意なデータが存在すればそのデータを受信して多重化デジタルデータ（例えば、多重ＴＳ（Transport Stream））に変換する（Ｓ１１）。そして、得られた多重化デジタルデータを所定の規格に従って分離して目的のチャンネルのデータを取得する（Ｓ１２）。当該目的のチャンネルの映像及びデータを所定のフォーマットで保存する（Ｓ１３）。このフォーマットは、ファイルシステム及び独自のフォーマット形式のいずれであってもよい。
【００２７】
一方、上記各ステップと並行して、デジタル放送受信装置の位置及び移動速度並びにトンネルの位置及び長さなどの各種情報が取得される（Ｓ２１）。そして、これら各種情報から、デジタル放送受信装置がトンネルに十分に接近しているか否かが判断される（Ｓ２２）。トンネルに十分に接近している場合（Ｓ２２のＹＥＳ肢）、ステップＳ２１で取得された各種情報からデータ再生に係るデータ出力タイミングの遅延量を決定し、再生速度低下制御を実行する。一方、トンネルに十分に接近していない場合（Ｓ２２のＮＯ肢）、再生速度低下制御を停止する。
【００２８】
ステップＳ１３で受信データが保存された後、再生速度低下制御が実行されていない場合（Ｓ１４のＮＯ肢）、ステップＳ１３で保存されたデータを通常再生する（Ｓ１５）。一方、再生速度低下制御が実行されている場合（Ｓ１４のＹＥＳ肢）、ステップＳ１３で保存されたデータをスロー再生する（Ｓ１６）。なお、再生速度低下制御の実行の有無は、例えば、フラグなどを用いて判別すればよい。そして、デジタル放送受信装置の電源がオフされていなければ（Ｓ１７のＮＯ肢）ステップＳ１１に戻り、オフされていれば（Ｓ１７のＹＥＳ肢）処理を終了する。
【００２９】
以上、本実施形態によると、移動中の自動車内でデジタル放送番組を視聴している場合において、自動車がトンネルに進入して放送波の受信ができなくなってもユーザは引き続き放送番組を視聴することができる。
【産業上の利用可能性】
【００３０】
本発明に係るデジタル放送受信装置は、電波不感地帯に進入しても引き続き放送番組の再生をすることができるため、携帯電話機などのモバイル機器やカーナビゲーションシステムなどの車載機器として有用である。
【図面の簡単な説明】
【００３１】
【図１】本発明に係るデジタル放送受信装置の構成図である。
【図２】デジタル放送受信装置がトンネルに接近したときのバッファ量の増減の様子を示す図である。
【図３】本発明に係るデジタル放送受信装置のフローチャートである。
【符号の説明】
【００３２】
３０  バッファ
４０  再生部
６０  固定情報取得部
７０  移動情報取得部
８０  再生速度制御部
【図１】
2007336475.tif 000003
【図２】
2007336475.tif 000004
【図３】
2007336475.tif 000005